(57)【特許請求の範囲】
【請求項１】
第１の通話端末と第２の通話端末との間の通話セッションを管理するセッション制御サーバと、蓄積された画像を表示する表示装置との間で、ネットワークを介して通信可能な画像再生サーバであって、
前記画像には、画像識別子と、当該画像の送信元ユーザを表す送信元識別子とが付与されており、
前記画像の前記画像識別子と、前記送信元識別子と、前記表示装置のアドレスとを対応付けて記憶する画像識別子記憶手段と、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信すると共に、第１の通話端末と第２の通話端末との間の通話セッションが切断された旨を検知するセッション情報検知手段と、
第１のユーザ識別子及び／又は第２のユーザ識別子と同一又は所定関係にある送信元識別子が対応付けられている前記画像識別子を検索する画像識別子検索手段と、
検索された前記画像識別子に対応付けられた前記表示装置のアドレスへ向けて、当該画像識別子を送信し、前記画像識別子が付与された画像を前記表示装置に再生させると共に、前記通話セッションの切断が検知された際に、前記表示装置への前記画像識別子の送信を停止する再生制御手段と
を有することを特徴とする画像再生サーバ。
【請求項２】
更に第２の通話端末とネットワークを介して通信可能であり、
第２の通話端末及び前記表示装置から位置情報を受信する位置情報受信手段を更に有し、
前記再生制御手段は、第２の通話端末の位置と表示装置の位置との間の距離が所定値以下である場合にのみ、前記画像識別子を前記表示装置へ送信する
ことを特徴とする請求項１に記載の画像再生サーバ。
【請求項３】
前記画像には、撮影日時が更に付与されており、
前記画像識別子記憶手段は、前記再生制御手段によって再生されたか否かを表す再生有無情報を、当該画像識別子に更に対応付けて記録し、
前記画像識別子検索手段は、前記再生有無情報によれば過去に再生されて無い前記画像識別子の群から順に検索する
ことを特徴とする請求項１又は２に記載の画像再生サーバ。
【請求項４】
前記画像識別子記憶手段は、関連ある複数のユーザ識別子をグループ化して蓄積し、
前記画像識別子検索手段は、第１のユーザ識別子及び／又は第２のユーザ識別子を含むグループを検索し、そのグループに属する全ての各ユーザ識別子を送信元識別子として付与した全ての画像識別子を検索する
ことを特徴とする請求項１から３のいずれか１項に記載の画像再生サーバ。
【請求項５】
更に第１の通話端末及び／又は第２の通話端末とネットワークを介して通信可能であり、
通話セッション確立中に、前記通話端末からキーワードを受信する検索指示受信手段を更に有し、
前記画像には、キーワードが更にタグ付けされており、
前記画像識別子検索手段は、前記通話端末から受信したキーワードが付与された画像識別子に絞り込んで検索する
ことを特徴とする請求項１から４のいずれか１項に記載の画像再生サーバ。
【請求項６】
第１の通話端末及び第２の通話端末は、当該画像再生サーバによって通話セッションを検知可能な携帯電話機、固定電話機又はネット電話用端末であり、
前記表示装置は、デジタルフォトフレーム、テレビ、パーソナルコンピュータである
ことを特徴とする請求項１から５のいずれか１項に記載の画像再生サーバ。
【請求項７】
第１の通話端末と第２の通話端末との間の通話セッションを管理するセッション制御サーバと、蓄積された画像を表示する表示装置との間で、ネットワークを介して通信可能なサーバに搭載されたコンピュータを機能させる画像再生プログラムであって、
前記画像には、画像識別子と、当該画像の送信元ユーザを表す送信元識別子とが付与されており、
前記画像の前記画像識別子と、前記送信元識別子と、前記表示装置のアドレスとを対応付けて記憶する画像識別子記憶手段と、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信すると共に、第１の通話端末と第２の通話端末との間の通話セッションが切断された旨を検知するセッション情報検知手段と、
第１のユーザ識別子及び／又は第２のユーザ識別子と同一又は所定関係にある送信元識別子が対応付けられている前記画像識別子を検索する画像識別子検索手段と、
検索された前記画像識別子に対応付けられた前記表示装置のアドレスへ向けて、当該画像識別子を送信し、前記画像識別子が付与された画像を前記表示装置に再生させると共に、前記通話セッションの切断が検知された際に、前記表示装置への前記画像識別子の送信を停止する再生制御手段と
してコンピュータを機能させることを特徴とする画像再生プログラム。
【請求項８】
第１の通話端末と第２の通話端末との間の通話セッションを管理するセッション制御サーバと、蓄積された画像を表示する表示装置との間で、ネットワークを介して通信可能なサーバにおける画像再生方法であって、
前記画像には、画像識別子と、当該画像の送信元ユーザを表す送信元識別子とが付与されており、
前記画像の前記画像識別子と、前記送信元識別子と、前記表示装置のアドレスとを対応付けて記憶する画像識別子記憶部を有し、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信する第１のステップと、
第１のユーザ識別子及び／又は第２のユーザ識別子と同一又は所定関係にある送信元識別子が対応付けられている前記画像識別子を検索する第２のステップと、
検索された前記画像識別子に対応付けられた前記表示装置のアドレスへ向けて、当該画像識別子を送信し、前記画像識別子が付与された画像を前記表示装置に再生させる第３のステップと、
セッション制御サーバから、第１の通話端末と第２の通話端末との間の通話セッションが切断された旨を検知する第４のステップと、
前記表示装置への前記画像識別子の送信を停止する第５のステップと
を有することを特徴とする画像再生方法。
【発明の詳細な説明】
【技術分野】
【０００１】
本発明は、例えばデジタルフォトフレームのような、予め蓄積した画像（例えば写真）を表示する表示装置の技術に関する。
【背景技術】
【０００２】
従来、デジタルフォトフレームを用いて、ユーザ自らがデジタルカメラで撮影した写真を再生することができる。一般に、デジタルフォトフレームは、汎用的なメモリカードスロットを備えており、その規格に対応したメモリカードを挿脱可能とする。代表的なメモリカードとして、例えばＳＤ(Secure Digital memory)カードがある。ユーザは、デジタルカメラで撮影した写真を記憶したメモリカードを、そのデジタルフォトフレームに挿入する。そして、ユーザは、それら写真を、デジタルフォトフレームを用いて閲覧することができる。
【０００３】
近年、無線ＬＡＮ(Local Area Network)機能や近接無線通信機能を搭載したデジタルフォトフレームが普及してきている。また、メモリカード自体が、写真を記憶するメモリ機能のみならず、無線ＬＡＮ等の通信機能を搭載するものもある。このような通信機能を用いることによって、デジタルフォトフレームは、アクセスネットワーク及びインターネットを介して、オンラインフォトサービスサーバへアクセスし、写真をダウンロード又はアップロードをすることができる。勿論、ユーザ自ら撮影した写真に限られず、他人（例えばユーザの家族や知人）によって撮影された写真であってもよい。
【０００４】
また、他の従来技術として、携帯電話機やスマートフォンのような高機能携帯端末を用いて、第１のユーザの携帯端末から、遠隔地の第２のユーザが所持する携帯端末へ、所望の写真を直接的に転送することもできる。例えばＩＭＳ(IP Multimedia Subsystem)セッション制御を実行することによって、第１のユーザと第２のユーザとの間で、携帯端末を用いて通話をしながら、リアルタイムに所望の写真を同時に閲覧することもできる。但し、両者の携帯端末には、同種のアプリケーションが実行されている必要がある。
【０００５】
更に、従来、ユーザがコミュニケーションに利用する端末とは別の周辺機器にコンテンツを表示することにより、その端末の機能に制限されずに、ユーザが閲覧しやすい状態でコンテンツを表示する技術がある（例えば特許文献１参照）。この技術によれば、（Ｓ１）送信端末が、送信電話番号を受信端末へ送信し、（Ｓ２）受信端末が、送信電話番号及び受信電話番号を周辺機器へ送信し、（Ｓ３）周辺機器が、送信電話番号、受信電話番号及び自己ＩＰアドレスをコンテンツサーバへ送信し、（Ｓ４）コンテンツサーバがコンテンツを周辺機器へ送信する。
【０００６】
更に、電話機からの発呼に基づいて、交換機が、遠隔地のパーソナルコンピュータを遠隔起動する技術がある（例えば特許文献２参照）。この技術によれば、交換機は、着信先電話番号と実行処理内容とを対応付けて記憶している。交換機が、外部の電話機から、その着信先電話番号に対する着呼を検出した場合、その実行処理内容に応じてパーソナルコンピュータに対してＷＯＬ(Wake On LAN)パケットを送信する。
【０００７】
更に、利用者に対して表示方法の設定操作を要求することなく、デジタル写真データの円滑な表示を実現する技術がある（例えば特許文献３参照）。この技術によれば、デジタルフォトフレームが、サーバから受信した設定情報に指定されたデジタル写真データを全て含んでいるか否かを判定する。そこで、不足分が存在する場合、そのデジタル写真データをサーバから取得し、それら写真データを表示する。
【先行技術文献】
【特許文献】
【０００８】
【特許文献１】特開２０１１−２２３５０６号公報
【特許文献２】特開２００９−２９６０５７号公報
【特許文献３】特開２００９−１５１３６９号公報
【非特許文献】
【０００９】
【非特許文献１】ＷＢＢフォーラム、「NGNの核となるIMS（1）：IMSとは？なぜIMSが必要なのか？」、[online]、［平成２３年１１月７日検索］、インターネット＜URL:http://wbb.forum.impressrd.jp/feature/20060720/165＞
【発明の概要】
【発明が解決しようとする課題】
【００１０】
具体例としては、第１のユーザが子供を持つ親であり、第２のユーザがその子供を孫とする祖父母である場合を想定する。例えば、親（第１のユーザ）が子供の写真を撮影し、その写真を祖父母（第２のユーザ）のデジタルフォトフレームで再生させる場合である。この場合、親は、撮影した写真を自らの端末から、ネットワークを介して、祖父母（第２のユーザ）のデジタフォトフレームへ送信することもできる。このとき、親の端末から祖父母のデジタルフォトフレームへ、写真を、直接的に又はオンラインフォトサービスサーバを用いて送信することができる。そして、祖父母は、デジタルフォトフレームを用いて、メモリカードに記憶されたそれら写真を、例えばスライドショー的に表示することができる。
【００１１】
その後、親（第１のユーザ）は、祖父母（第２のユーザ）へ、デジタルフォトフレームに予め送信した写真を閲覧しながら、会話することを所望する場合がある。その場合、親は、自らの通話端末から祖父母の通話端末へ発呼し、その祖父母と通話する。
【００１２】
しかしながら、親（第１のユーザ）は、祖父母（第２のユーザ）へ、どの写真を閲覧するかを口頭で伝えなければならない。親が閲覧させたい写真は、親及び祖父母の両方のユーザに関連する（興味がある）ものであって、例えば自らが写る写真や、共通の知り合いが写る写真のようなものである。このとき、デジタルフォトフレームには、多数の写真が混在して蓄積されており、どの写真を再生させるかを選択する作業は、祖父母にとっては容易でない。
【００１３】
また、親が、自らの端末を用いて、祖父母のデジタルフォトフレームへ写真を送信した後、一定期間経過した場合、写真を送信した親としても、既にどのような写真を送信したかについて記憶が曖昧な場合も多い。このような場合、祖父母に、写真の検索操作をさせることは、操作を更に煩雑とする。そのような祖父母の検索操作も、親が口頭で指示する必要も生じる。そうでなければ、親は、再度、祖父母のデジタルフォトフレームへ、同一の写真を送信する必要が生じる。また、他の方法としては、親が、祖父母のデジタルフォトフレームを、遠隔操作する必要もある。このような操作の煩雑さは、ユーザの属性（プロファイル）に応じて更に増大する。特に、高齢者や子供のようなユーザは、デジタルフォトフレームのような情報機器の操作に慣れていない場合が多い。
【００１４】
更に、デジタルフォトフレームは、消費電力を考慮して、常時、電源をオフにしている場合が多い。そのために、結果的に、使用頻度も低下し、写真の表示装置が利用されにくいという実情もある。
【００１５】
尚、特許文献１に記載された技術によれば、受信端末（例えば祖父母によって操作）は、送信端末から電話番号情報を受信すると共に、周辺機器（例えばデジタルフォトフレーム）へ更に電話番号情報を送信する必要があり、更に、その周辺機器はコンテンツサーバからコンテンツを取得する必要がある。即ち、この技術によれば、送信端末、受信端末及び周辺機器の全てに特別な機能を実装する必要がある。
【００１６】
また、特許文献２に記載された技術によれば、パーソナルコンピュータの遠隔操作に、着信先電話番号を対応付けたものに過ぎず、前述した課題を解決するものではない。更に、特許文献３に記載された技術によれば、２者間のコミュニケーションのためのコンテンツを表示するものではなく、同様に、前述した課題を解決するものではない。
【００１７】
そこで、本発明は、通話セッションを確立したユーザ同士が、両ユーザに関連する画像をデジタルフォトフレームに自動的に再生させることができる画像再生サーバ、プログラム及び方法を提供することを目的とする。
【課題を解決するための手段】
【００１８】
本発明によれば、
第１の通話端末と第２の通話端末との間の通話セッションを管理するセッション制御サーバと、蓄積された画像を表示する表示装置との間で、ネットワークを介して通信可能な画像再生サーバであって、
画像には、画像識別子と、当該画像の送信元ユーザを表す送信元識別子とが付与されており、
画像の画像識別子と、送信元識別子と、表示装置のアドレスとを対応付けて記憶する画像識別子記憶手段と、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信すると共に、第１の通話端末と第２の通話端末との間の通話セッションが切断された旨を検知するセッション情報検知手段と、
第１のユーザ識別子及び／又は第２のユーザ識別子と同一又は所定関係にある送信元識別子が対応付けられている画像識別子を検索する画像識別子検索手段と、
検索された画像識別子に対応付けられた表示装置のアドレスへ向けて、当該画像識別子を送信し、画像識別子が付与された画像を表示装置に再生させると共に、通話セッションの切断が検知された際に、表示装置への画像識別子の送信を停止する再生制御手段と
を有することを特徴とする。
【００１９】
本発明の画像再生サーバにおける他の実施形態によれば、
更に第２の通話端末とネットワークを介して通信可能であり、
第２の通話端末及び表示装置から位置情報を受信する位置情報受信手段を更に有し、
再生制御手段は、第２の通話端末の位置と表示装置の位置との間の距離が所定値以下である場合にのみ、画像識別子を表示装置へ送信することも好ましい。
【００２０】
本発明の画像再生サーバにおける他の実施形態によれば、
画像には、撮影日時が更に付与されており、
画像識別子記憶手段は、再生制御手段によって再生されたか否かを表す再生有無情報を、当該画像識別子に更に対応付けて記録し、
画像識別子検索手段は、再生有無情報によれば過去に再生されて無い画像識別子の群を検索する
ことも好ましい。
【００２１】
本発明の画像再生サーバにおける他の実施形態によれば、
画像識別子記憶手段は、関連ある複数のユーザ識別子をグループ化して蓄積し、
画像識別子検索手段は、第１のユーザ識別子及び／又は第２のユーザ識別子を含むグループを検索し、そのグループに属する全ての各ユーザ識別子を送信元識別子として付与した全ての画像識別子を検索することも好ましい。
【００２２】
本発明の画像再生サーバにおける他の実施形態によれば、
更に第１の通話端末及び／又は第２の通話端末とネットワークを介して通信可能であり、
通話セッション確立中に、通話端末からキーワードを受信する検索指示受信手段を更に有し、
画像には、キーワードが更にタグ付けされており、
画像識別子検索手段は、通話端末から受信したキーワードが付与された画像識別子に絞り込んで検索することも好ましい。
【００２５】
本発明の画像再生サーバにおける他の実施形態によれば、
第１の通話端末及び第２の通話端末は、当該画像再生サーバによって通話セッションを検知可能な携帯電話機、固定電話機又はネット電話用端末であり、
表示装置は、デジタルフォトフレーム、テレビ、パーソナルコンピュータである
ことも好ましい。
【００２６】
本発明によれば、第１の通話端末と第２の通話端末との間の通話セッションを管理するセッション制御サーバと、蓄積された画像を表示する表示装置との間で、ネットワークを介して通信可能なサーバに搭載されたコンピュータを機能させる画像再生プログラムであって、
画像には、画像識別子と、当該画像の送信元ユーザを表す送信元識別子とが付与されており、
画像の画像識別子と、送信元識別子と、表示装置のアドレスとを対応付けて記憶する画像識別子記憶手段と、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信すると共に、第１の通話端末と第２の通話端末との間の通話セッションが切断された旨を検知するセッション情報検知手段と、
第１のユーザ識別子及び／又は第２のユーザ識別子と同一又は所定関係にある送信元識別子が対応付けられている画像識別子を検索する画像識別子検索手段と、
検索された画像識別子に対応付けられた表示装置のアドレスへ向けて、当該画像識別子を送信し、画像識別子が付与された画像を表示装置に再生させると共に、通話セッションの切断が検知された際に、表示装置への画像識別子の送信を停止する再生制御手段と
してコンピュータを機能させることを特徴とする。
【００２７】
本発明によれば、第１の通話端末と第２の通話端末との間の通話セッションを管理するセッション制御サーバと、蓄積された画像を表示する表示装置との間で、ネットワークを介して通信可能なサーバにおける画像再生方法であって、
画像には、画像識別子と、当該画像の送信元ユーザを表す送信元識別子とが付与されており、
画像の画像識別子と、送信元識別子と、表示装置のアドレスとを対応付けて記憶する画像識別子記憶部を有し、
セッション制御サーバから、第１の通話端末と第２の通話端末との間で通話セッションが確立された旨を検知し、第１の通話端末を所持する第１のユーザ識別子と第２の通話端末を所持する第２のユーザ識別子とを受信する第１のステップと、
第１のユーザ識別子及び／又は第２のユーザ識別子と同一又は所定関係にある送信元識別子が対応付けられている画像識別子を検索する第２のステップと、
検索された画像識別子に対応付けられた表示装置のアドレスへ向けて、当該画像識別子を送信し、画像識別子が付与された画像を表示装置に再生させる第３のステップと、
セッション制御サーバから、第１の通話端末と第２の通話端末との間の通話セッションが切断された旨を検知する第４のステップと、
表示装置への画像識別子の送信を停止する第５のステップと
を有することを特徴とする。
【発明の効果】
【００２８】
本発明の画像再生サーバ、プログラム及び方法によれば、通話セッションを確立したユーザ同士が、両ユーザに関連する画像をデジタルフォトフレームに自動的に再生させることができる。
【図面の簡単な説明】
【００２９】
【図１】本発明におけるシステム構成図である。
【図２】本発明における画像再生サーバの機能構成図である。
【図３】本発明におけるデータ構成図である。
【図４】本発明におけるシーケンス図である。
【発明を実施するための形態】
【００３０】
以下、本発明の実施の形態について、図面を用いて詳細に説明する。
【００３１】
図１は、本発明におけるシステム構成図である。
【００３２】
第１のユーザ及び第２のユーザは、通話端末２を所持しており、電話網を介して通話することができる。通話端末は、携帯電話機、固定電話機又はネット電話用端末であってもよい。また、電話網は、例えば携帯電話網や公衆電話網のような通信事業者ネットワークであって、通話端末２間でセッションを確立するためのセッション制御サーバ３が配置されている。第１のユーザの通話端末２Ａは、通信事業者ネットワークのセッション制御サーバ３を介して、第２のユーザの通話端末２Ｂへ発呼し、セッションを確立することができる。
【００３３】
また、図１によれば、第２のユーザは、表示装置４を更に所持している。表示装置４は、例えばデジタルフォトフレーム、テレビ、パーソナルコンピュータであってもよい（以下では「デジタルフォトフレーム」であるとして説明する）。デジタルフォトフレーム４は、例えば無線ＬＡＮのような通信機能を有する。デジタルフォトフレーム４は、無線ＬＡＮを介してアクセスネットワークを経由して、インターネットに接続することができる。
【００３４】
デジタルフォトフレーム４は、例えばメモリカードに予め画像を蓄積している。画像としては、ユーザによって撮影された写真データであることが好ましい。また、画像にはそれぞれ、「画像識別子」と、当該画像の送信元ユーザを表す「送信元識別子」が付与されている。送信元識別子は、画像が例えば写真である場合、その撮影者のユーザ識別子を表す。また、その写真における「撮影日時」が更に付与されていてもよい。
（写真画像）＝「画像識別子」<-「送信元識別子」「撮影日時」
【００３５】
デジタルフォトフレーム４で再生される画像は、以下では「写真」であるとして説明するが、マルチメディアデータ（動画像、音声等）であってもよい。また、デジタルフォトフレーム４は、画像を、スライドショーのように再生することも好ましい。
【００３６】
図１によれば、本発明の画像再生サーバ１がインターネットに接続されている。インターネットには、通信事業者ネットワーク及びアクセスネットワークが相互接続されている。これによって、画像再生サーバ１は、通信事業者ネットワークのセッション制御サーバ３と通信すると共に、アクセスネットワークを介して第２のユーザのデジタルフォトフレーム４と通信することができる。
【００３７】
また、画像再生サーバ１も、デジタルフォトフレーム４に蓄積された画像の「画像識別子」に対応付けて、「送信元識別子」「撮影日時」も予め蓄積している。
「画像識別子」<-「送信元識別子」「撮影日時」
【００３８】
セッション制御サーバ３は、第１の通話端末２Ａと第２の通話端末２Ｂとの間で、通話セッションを確立させる。そして、セッション制御サーバ３は、画像再生サーバ１へ、通話セッションの確立の旨の情報を通知する。また、この情報には、第１の通話端末を所持する第１のユーザ識別子と、第２の通話端末を所持する第２のユーザ識別子とが含まれる。セッション制御サーバ３は、複数のＳＩＰ(Session Initiation Protocol)サーバ群からなるシステムであってもよい。
【００３９】
尚、第１のユーザも、デジタルフォトフレーム４を所持していてもよい。画像再生サーバ１から送信される画像識別子によって、第１のユーザのデジタルフォトフレームと、第２のユーザのデジタルフォトフレームとに、同一の写真を再生させることもできる。
【００４０】
図１によれば、具体例としては、第１のユーザが、子供を持つ「親」であり、第２のユーザが、その子供を孫とする「祖父母」である場合を想定している。本発明によれば、「親」と「祖父母」とが通話している際に、その親及び祖父母に関連する写真、例えば「孫の写真」が、祖父母のデジタルフォトフレーム４に自動的に再生される。
【００４１】
図２は、本発明における画像再生サーバの機能構成図である。
図３は、本発明におけるデータ構成図である。
【００４２】
図２によれば、画像再生サーバ１は、通信インタフェース部１０と、画像識別子記憶部１１と、セッション情報検知部１２と、画像識別子検索部１３と、再生制御部１４と、位置情報受信部１５と、検索指示受信部１６と、ユーザ操作受信部１７とを有する。通信インタフェース部１０を除くこれら機能構成部は、サーバに搭載されたコンピュータを機能させるプログラムを実行することによって実現される。
【００４３】
［画像識別子記憶部１１］
画像識別子記憶部１１は、第２のユーザのデジタルフォトフレーム４に蓄積された画像それぞれについて、「画像識別子」に「送信元識別子」「撮影日時」を対応付けて記憶している。
「画像識別子」<-「送信元識別子」「撮影日時」
ここで、画像再生サーバ１は、通信インタフェース部１０を介して、デジタルフォトフレーム４から、「画像識別子」「送信元識別子」「撮影日時」を受信するものであってもよい。
【００４４】
また、画像識別子記憶部１１は、再生制御部１４によって再生されたか否かを表す「再生有無情報」を、当該画像識別子に更に対応付けて記録することも好ましい。
「画像識別子」<-「送信元識別子」「撮影日時」「再生有無情報」
再生有無情報は、再生制御部１４からデジタルフォトフレーム４へ送信された画像識別子については、「再生有り」のフラグが付与される。
【００４５】
更に、画像識別子記憶部１１は、「画像識別子」に、１つ以上の「キーワード」がタグ付けされていることも好ましい。
「画像識別子」<-「送信元識別子」「撮影日時」「再生有無情報」「キーワード」
例えば孫の写真であれば、キーワードとして「孫」が付与されることが好ましい。
【００４６】
更に、画像識別子記憶部１１は、関連ある複数のユーザ識別子をグループ化して記憶することも好ましい。
（グループ識別子）
［Ａ］<-「ユーザ識別子１」「ユーザ識別子２」「ユーザ識別子３」・・・
［Ｂ］<-「ユーザ識別子４」「ユーザ識別子５」「ユーザ識別子６」・・・
各写真には、それを撮影した送信元識別子が付与される。例えば、親によって撮影された写真には、親のユーザ識別子が送信元識別子（ユーザ識別子１）として付与される。また、グループＡには、親のユーザ識別子と、祖父母のユーザ識別子（ユーザ識別子２）とが含まれていたとする。このとき、親のユーザ識別子が送信元識別子として付与された写真は、グループＡに属すると判断される。
【００４７】
尚、画像識別子記憶部１１は、「画像識別子」に対応付けて、デジタルフォトフレームに対する「送信日時（閲覧履歴）」を更に記憶することも好ましい。
【００４８】
［セッション情報検知部１２］
セッション情報検知部１２は、セッション制御サーバ３から、第１の通話端末２Ａと第２の通話端末２Ｂとの間で通話セッションが確立／切断された旨を検知し、第１の通話端末２Ａを所持する第１のユーザ識別子と第２の通話端末２Ｂを所持する第２のユーザ識別子とを受信する。そして、セッション情報検知部１２は、画像識別子検索部１３へ、発信側端末の第１のユーザ識別子と、着信側端末の第２のユーザ識別子とを出力する。
【００４９】
また、セッション情報検知部１２は、通話セッションの切断の通知を受信した際に、その通知を、再生制御部１４へ出力する。これによって、再生制御部１４は、表示装置４への画像識別子の送信を停止する。
【００５０】
［画像識別子検索部１３］
画像識別子検索部１３は、通話セッションが確立された際に、第１のユーザ識別子及び第２のユーザ識別子を入力する。そして、画像識別子検索部１３は、第１のユーザ識別子及び／又は第２のユーザ識別子と同一又は所定関係にある「送信元識別子」が対応付けられている「画像識別子」を検索する。ここで、ユーザ識別子に紐付いた送信元識別子の画像識別子が検索できなかった場合、処理を終了する。
【００５１】
画像識別子検索部１３は、画像識別子記憶部１１について画像識別子に「撮影日時」「再生有無情報」が対応付けられている場合、「再生有無情報」によれば過去に通話中に再生されて無い群を検索することができる。例えば親は、祖父母に対して、初めて見せる写真を見せたいと考えることに基づく。更に、過去に再生されてなく、且つ、撮影日時が新しい画像識別子の群から順に検索することができる。撮影日時が新しい画像識別子の群とは、「日」単位であってもよい。例えば親は、祖父母に対して、初めて見せる写真であって、且つ、最近撮影した孫写真を見せたいと考えることに基づく。また、親がイベントや成長の時系列を保って見たい場合もあるが、その場合は過去に再生されてなく、かつ、撮影日時が古い順に検索することができる。初期設定では、過去に再生されてなく、且つ、撮影日時が新しい画像識別子の群から順に検索することが望ましい。
【００５２】
他の実施形態として、画像識別子検索部１３は、過去における現在と同一時期の写真（例えば現在２０１１年１１月であれば、１０年前の２００１年１１月の写真）を検索するものであってもよい。このような写真をデジタルフォトフレーム４に表示することによって、ユーザ同士の記憶が想起され、会話に話題を与えることができる。
【００５３】
画像識別子検索部１３は、画像識別子記憶部１１についてユーザ識別子がグループ化されている場合、第１のユーザ識別子及び／又は第２のユーザ識別子を含むグループを検索し、そのグループに属する全ての各ユーザ識別子を送信元識別子として付与した全ての画像識別子を検索する。例えば、「親のユーザ識別子」と、「祖父母のユーザ識別子」とが、「家族Ａ」というグループに属している場合、「親のユーザ識別子」（又は「祖父母のユーザ識別子」）が送信元識別子として付与された画像識別子を検索する。
【００５４】
尚、画像識別子検索部１３は、その他のポリシテーブル（判断基準）を備えていることも好ましい。
【００５５】
そして、画像識別子検索部１３は、検索された画像識別子を、再生制御部１４へ出力する。
【００５６】
［再生制御部１４］
再生制御部１４は、検索された画像識別子に対応付けられたデジタルフォトフレーム４のアドレスへ向けて、当該画像識別子を送信する。デジタルフォトフレーム４は、画像再生サーバ１から受信した画像識別子に係る画像（写真）を検索し、その画像をディスプレイに再生する。
【００５７】
ここで、再生制御部１４は、「ユーザ識別子」と、表示装置の「アドレス」とを予め対応付けて記憶している。例えば、第２のユーザの「ユーザ識別子」に、第２のユーザが所持するデジタルフォトフレームの「アドレス」を対応付けて記憶している。
【００５８】
また、再生制御部１４は、「ユーザ識別子」「アドレス」に加えて、「位置情報」を更に対応付けて記憶しておくことも好ましい。勿論、１つのユーザ識別子に、複数の表示装置の各アドレスが対応付けられていてもよい。
【００５９】
ここで、デジタルフォトフレーム４が、画像再生サーバ１へ向けてアクセスすることによって、ユーザ識別子を登録するものであってもよい。画像再生サーバ１は、デジタルフォトフレーム４からのアクセスによってその「アドレス」を取得し、「ユーザ識別子」及び「アドレス」を対応付けて記憶することができる。
【００６０】
また、通話セッションの確立後、再生制御部１４が、デジタルフォトフレーム４に対して、起動信号を送信することも好ましい。起動信号に、「画像識別子」を含めることも好ましい。起動信号は、例えばWakeup On LANに用いられるMagic Packet方式のパケット構成を用いるものであってもよい。Magic Packet方式では、ＩＰヘッダに続いて、0xffffffffffff(6bytes)と、表示装置のＭＡＣアドレス(6bytes)が１６回連続する102bytesのデータを持つＵＤＰデータグラムとからなる。起動信号を受信したデジタルフォトフレーム４は、自動的に起動すると共に、その「画像識別子」に対応する写真を直ぐに表示することができる。
【００６１】
更に、再生制御部１４は、発呼側の第１のユーザもデジタルフォトフレーム（表示装置）を所持する場合、画像識別子を、そのデジタルフォトフレームへも送信することも好ましい。再生制御部１４が、第１のユーザのデジタルフォトフレームと、第２のユーザのデジタルフォトフレームとに、同一の画像識別子を送信することによって、再生する画像を同期させることもできる。これによって、第１のユーザと第２のユーザとの間の会話を、スムーズにするものと考えられる。
【００６２】
更に、一方のデジタルフォトフレームに対するユーザの操作（再生・停止・早送り・巻き戻し・起動・停止・等）を、他方のデジタルフォトフレームへ同期させることも好ましい。この場合、一方のデジタルフォトフレームが、その操作情報を画像再生サーバ１へ送信し、画像再生サーバ１が、他方のデジタルフォトフレームへ送信する。
【００６３】
尚、他の実施形態として、画像再生サーバ１が、デジタルフォトフレーム４で再生すべき画像（写真）自体を記憶しており、再生制御部１４は、画像識別子と共に、その画像自体もデジタルフォトレフレーム４へ送信するものであってもよい。
【００６４】
［位置情報受信部１５］
位置情報受信部１５は、第２の通話端末（着呼側端末）２Ｂ及び表示装置４から位置情報を受信する。これによて、第２の通話端末２Ｂの位置と、表示装置４の位置との間の距離を算出することができる。その距離が、所定値以下である場合にのみ、再生制御部１４へ送信可能指示を出力する。
【００６５】
通話端末を所持する第２のユーザが、デジタルフォトフレーム４の近くに位置していなければ、その写真を閲覧することができない。例えば、携帯型の通話端末（携帯電話機）を所持した第２のユーザが屋外に外出している場合、屋内に固定設置されているデジタルフォトフレーム４を閲覧することができない。そこで、第２のユーザの通話端末２Ｂと、その表示装置４との位置が、所定距離以上離れているか否かを判定する。
【００６６】
通話端末が携帯電話機やスマートフォンである場合、一般にＧＰＳ(Global Positioning System)機能を搭載したものが多い。そのために、通話端末２Ｂは、測位電波によって計測した位置情報を画像再生サーバ１へ送信する。また、デジタルフォトフレーム４は、固定設置する際に、位置情報を画像再生サーバ１へ送信することもできる。勿論、アクセスポイントの位置情報であってもよいし、ユーザによって入力された住所データであってもよい。
【００６７】
他の実施形態として、通話端末２Ｂと表示装置４との間で、Bluetooth（登録商標）のような近距離無線によって通信可能な距離に存在しているか否かを計測するものであってもよい。この場合、通話端末と表示装置との間が１０ｍ程度の距離であれば通信可能であって、近距離に位置すると判定することができる。例えば、表示装置４が、Bluetoothによって通話端末２Ｂが近隣に存在するか否かの情報を、画像再生サーバ１へ送信することもできる。
【００６８】
［検索指示受信部１６］
検索指示受信部１６は、通話セッション確立中に、通話端末２から「キーワード」を受信する。その「キーワード」は、通話端末２を操作するユーザによって入力されたものであって、ユーザが、そのキーワードに関連する画像を、デジタルフォトフレーム４に表示することを所望している。そして、検索指示受信部１６は、キーワードを画像識別子検索部１３へ出力する。このとき、画像識別子検索部１３は、そのキーワードに一致又は関連する画像識別子に絞り込んで検索する。
【００６９】
他の実施形態として、検索指示受信部１６は、通話セッション確立中に、通話端末２から「盛り上がり画像の検索指示」を受信する。その「盛り上がり画像の検索指示」は、通話端末２を操作するユーザによって入力されたものであって、ユーザが、盛り上がりフラグが付与された画像を、デジタルフォトフレームに表示することを所望している。そして、検索指示受信部１６は、画像識別子検索部１３へ、「盛り上がり画像の検索指示」を出力する。画像識別子検索部１３は、盛り上がりフラグが付与された画像識別子に絞り込んで検索する。
【００７０】
他の実施形態として、両ユーザ識別子に基づく再生日時（閲覧履歴）を用いることによって、ユーザ識別子に基づいて、「最近、あの人と一緒に見た写真」を検索することができる。また、「最近、あの人と一緒に見て盛り上がった写真」や「最近、あの人と一緒に見て盛り上がった写真群」を検索することもできる。各画像識別子に基づく画像を再生した際に、再生操作が指定回数以上であり、且つ、再生時間が一定時間以上である場合、「特に盛り上がった画像」と判断することができ、検索時に優先的に表示することも好ましい。
【００７１】
［ユーザ操作受信部１７］
ユーザ操作受信部１７は、デジタルフォトフレーム４から、再生中の画像に対するユーザ操作情報を受信する。ユーザ操作受信部１７は、画像識別子記憶部１１へ、ユーザ操作がなされた旨の情報を出力してもよい。画像識別子記憶部１１は、ユーザ操作情報の対象となる当該画像の画像識別子に、盛り上がりフラグを付与する。
【００７２】
図４は、本発明におけるシーケンス図である。
【００７３】
（Ｓ４０）第２の通話端末２Ｂ及び表示装置４は、予め位置情報を、画像再生サーバ１へ送信しておく（図２の位置情報受信部１５参照）。これによって、第２の通話端末２が、表示装置４の近隣に位置していることを認識する。
【００７４】
（Ｓ４１）発呼側端末２Ａは、電話網のセッション制御サーバ３へ、着呼側を端末２Ｂとする発呼要求(INVITE)を送信する。セッション制御サーバ３は、その発呼要求(INVITE)を着呼側端末２Ｂへ転送すると共に、発呼側端末２Ａへ100 Tryingを応答する。その後、着呼側端末２Ｂは、180 Ringingをセッション制御サーバ３へ送信し、そのセッション制御サーバ３は、その180 Ringingを発呼側端末２Ａへ転送する。その後、着呼側端末２Ｂは、200 OKをセッション制御サーバ３へ送信し、そのセッション制御サーバ３は、その200 OKを発呼側端末２Ａへ転送する。これによって、発呼側端末２Ａは、ACKをセッション制御サーバ３へ送信し、そのセッション制御サーバ３は、そのACKを着呼側端末３へ転送する。これによって、発呼側端末２Ａと着呼側端末２Ｂとの間で、通話セッションが確立される。
【００７５】
（Ｓ４２）セッション制御サーバ３は、通話端末２Ａと通話端末２Ｂとの間で通話セッションが確立した旨の情報を、画像再生サーバ１へ送信する（図２のセッション情報検知部１２参照）。その情報には、第１のユーザ識別子と第２のユーザ識別子とが含まれる。尚、ここで、画像再生サーバ１は、発呼側端末２Ａの第１のユーザと、着呼側端末２Ｂの第２のユーザとの間で、本発明に基づくサービスの利用登録の有無を判断を判断することも好ましい。サービスの利用登録が無い場合、以降のステップを実行しない。
【００７６】
（Ｓ４３）画像再生サーバ１は、第１のユーザ識別子及び／又は第２のユーザ識別子と同一又は所定関係にある送信元識別子が対応付けられている画像識別子を検索する（図２の画像識別子検索部１３参照）。
【００７７】
（Ｓ４４）画像再生サーバ１は、検索された画像識別子に対応付けられたデジタルフォトフレーム４のアドレスへ向けて、当該画像識別子を送信する（図２の再生制御部１４参照）。尚、画像再生サーバ１が、表示装置４へ、起動信号を予め送信するものであっってもよい。
【００７８】
（Ｓ４５）画像再生サーバ１は、通話セッション確立中に、発呼側通話端末２Ａからキーワードを受信する（図２の検索指示受信部１６参照）。そして、画像再生サーバ１は、そのキーワードが付与された画像識別子に絞り込んで検索し、その画像識別子をデジタルフォトフレーム４へ送信する。
【００７９】
（Ｓ４６）また、画像再生サーバ１は、通話セッション確立中に、ユーザ操作情報を受信する（図２のユーザ操作受信部１７参照）。画像再生サーバ１は、そのユーザ操作情報の対象となる当該画像の画像識別子に、盛り上がりフラグを更に付与する。
【００８０】
（Ｓ４７）画像再生サーバ１は、通話セッション確立中に、発呼側通話端末２Ａから盛り上がり画像の検索指示を受信する（図２の検索指示受信部１６参照）。このとき、画像再生サーバ１は、盛り上がりフラグが付与された画像識別子に絞り込んで検索し、その画像識別子をデジタルフォトフレーム４へ送信する。
【００８１】
（Ｓ４８）セッション制御サーバ３は、通話セッションが切断された旨を、画像再生サーバ１へ送信する。これによって、画像再生サーバ１は、通話セッションの切断が検知された際に、デジタルフォトフレーム４への画像識別子の送信を停止する。
【００８２】
以上、詳細に説明したように、本発明の画像再生サーバ、プログラム及び方法によれば、通話セッションを確立したユーザ同士が、両ユーザに関連する画像をデジタルフォトフレームに自動的に再生させることができる。これによって、ユーザ同士が通話をしながら、それらユーザに関連する画像をデジタルフォトフレームに表示することができ、会話の中に話題を取り込むことができる。
【００８３】
尚、本発明は、同一出願人によって出願された特許文献１に記載された技術と比較して、送信端末及び受信端末は既存のものであって何ら特別な機能を実装する必要がない。即ち、電話網におけるセッション確立検知によって２者間のコミュニケーションが特定され、それに応じて必要なコンテンツの表示をデジタルフォトフレームへ指示することができる。このような本発明の構成要素は、前述した先行技術文献に記載された技術を単に寄せ集めても当業者によって容易に想到されるものではない。
【００８４】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８５】
１  画像再生サーバ
１０  通信インタフェース部
１１  画像識別子記憶部
１２  セッション情報検知部
１３  画像識別子検索部
１４  再生制御部
１５  位置情報受信部
１６  検索指示受信部
１７  ユーザ操作受信部
２  通話端末
３  セッション制御サーバ
４  表示装置、デジタルフォトフレーム
【図１】
0005878774.tif 000002
【図２】
0005878774.tif 000003
【図３】
0005878774.tif 000004
【図４】
0005878774.tif 000005